(57)【要約】【課題】  運転者の体格や姿勢に応じて、ステアリングポールの位置を任意の方向に調節できる小型滑走艇のステアリング装置を提供すること。【解決手段】  ステアリングポール２３の前端両側部から支持軸３４を突出させ、支持軸３４よりも後方部分からガイド軸３５を突出させた。そして、船体１１側に設けたブラケット２５ａ，２５ｂに、支持軸３４がスライド係合できる支持軸用スライド溝２６を設け、支持軸用スライド溝２６の上方後部側に位置をずらしてガイド軸３５がスライド係合できるガイド軸用スライド溝２７を設けた。また、ガイド軸用スライド溝２７の後部を、上下方向に円弧を描いた形状の円弧状溝部２８で構成し、この部分にガイド軸３５を上部側に付勢するレバー３１等を設けた。また、支持軸用スライド溝２６に支持軸用係合凹部２６ａを設け、ガイド軸用スライド溝２７にガイド軸用係合凹部２８ｂを設けた。【選択図】  図５
2006044386.tif 000002
【特許請求の範囲】
【請求項１】
運転者の体格や姿勢に応じて、ステアリングポールの位置を変更できる小型滑走艇のステアリング装置であって、
前記ステアリングポールの前端部の両側部に設けられた係合部と、
船体の上部における前部側部分に前後方向に沿って設けられ、前記係合部が前後方向に移動可能な状態で係合できる被係合部と
を備えたことを特徴とする小型滑走艇のステアリング装置。
【請求項２】
前記係合部を前記ステアリングポールの前端部の両側部から略水平方向に延びる支持軸で構成し、前記被係合部を前記支持軸がスライド移動可能な状態で係合できる支持軸用スライド溝で構成した請求項１に記載の小型滑走艇のステアリング装置。
【請求項３】
前記ステアリングポールの両側部における前記支持軸よりも後方部分から略水平に延びるガイド軸と、
前記支持軸用スライド溝の上方に、前記支持軸用スライド溝よりも所定距離だけ後部側に位置をずらして設けられ、前記ガイド軸がスライド移動可能な状態で係合できるガイド軸用スライド溝と
を備えた請求項２に記載の小型滑走艇のステアリング装置。
【請求項４】
前記ガイド軸用スライド溝の後部を、前記支持軸用スライド溝の後端部を中心として後方上下方向に円弧を描いた形状の円弧状溝部で構成し、前記ステアリングポールを最後部に位置させたときに、前記ステアリングポールが前記支持軸用スライド溝の後端部を中心として上下方向に回転可能になるようにした請求項３に記載の小型滑走艇のステアリング装置。
【請求項５】
前記ガイド軸が前記円弧状溝部に位置したときに、前記ガイド軸を前記円弧状溝部の上部側に付勢する付勢手段を設けた請求項４に記載の小型滑走艇のステアリング装置。
【請求項６】
前記支持軸用スライド溝の前端部の上部側の縁部に、前記支持軸が係合できる支持軸用係合凹部を設け、前記ステアリングポールを最前部に位置させて前記支持軸を前記支持軸用係合凹部に係合させたときに、前記ステアリングポールが固定された状態を維持するようにした請求項３ないし５のうちのいずれか一つに記載の小型滑走艇のステアリング装置。
【請求項７】
前記ガイド軸用スライド溝の下部側の縁部における所定部分に、前記ガイド軸が係合できるガイド軸用係合凹部を設け、前記ガイド軸を前記ガイド軸用係合凹部に係合させたときに、前記ステアリングポールが固定された状態を維持するようにした請求項３ないし６のうちのいずれか一つに記載の小型滑走艇のステアリング装置。
【請求項８】
前記係合部を略水平方向に延びる係合軸部または係合軸穴で構成し、前記被係合部を、前記係合軸部または前記係合軸穴に軸回り方向に回転可能な状態で係合する被係合軸穴または被係合軸部を備えたブラケットと前記ブラケットを前後方向に移動可能な状態で支持するレール部とで構成した請求項１に記載の小型滑走艇のステアリング装置。
【請求項９】
前記ステアリングポールと前記ブラケットとの間に伸縮可能な傾斜調節部を設け、前記傾斜調節部の長さを調節することにより前記ステアリングポールの傾斜角度を任意の角度に変更可能にした請求項８に記載の小型滑走艇のステアリング装置。
【請求項１０】
前記船体の上部における前部側部分に前後方向に沿ったケーブル用長穴を設けるとともに、前記ケーブル用長穴の長手方向に沿って切れ目が設けられた弾性シール部を前記ケーブル用長穴の周縁部に設けて前記ケーブル用長穴をシールし、前記ステアリングポールに設置された各種の操作子と、前記船体側に設置された各装置とを接続するケーブルを前記ケーブル用長穴に通した請求項１ないし９のうちのいずれか一つに記載の小型滑走艇のステアリング装置。
【請求項１１】
前記船体の上部における前部側部分に前後方向に沿ったケーブル用長穴を設けて、前記ステアリングポールに設置された各種の操作子と、前記船体側に設置された各装置とを接続するケーブルを前記ケーブル用長穴に通し、前記ケーブル用長穴の周縁部における下部側に、前記ケーブルにおける前記ステアリングポールの前後移動に追従して移動する部分を移動可能にした状態のままで被覆する袋状部材を設けた請求項１ないし１０のうちのいずれか一つに記載の小型滑走艇のステアリング装置。
【発明の詳細な説明】
【技術分野】
【０００１】
本発明は、位置変更可能なステアリングポールを備えた小型滑走艇のステアリング装置に関する。
【背景技術】
【０００２】
従来から、運転者が船体の後部に設けられたステップ台に立った状態で、運転操作することにより、水上を走行する小型滑走艇がある。この小型滑走艇の中に、ステアリングポールの前端部を船体の上面における前部側部分にヒンジ連結して回転可能にすることにより、ステアリングポールの後端部に設けられた操舵ハンドルの高さを変更できるようにしたものがある（例えば、特許文献１参照）。
【特許文献１】特許第２７５７９９９号公報
【発明の開示】
【０００３】
しかしながら、前述した従来の小型滑走艇では、ステアリングポールはヒンジ連結部の支点を中心に回転するが、前後方向には移動できないため、運転者の体格や姿勢に応じてステアリングポールの位置を調節することができないという問題がある。また、ステアリングポールが常に上下に回転するため、スポーティーな操船には適しているが、腕にかかる負担が大きくなり長時間の操船には不向きであるという問題もある。
【０００４】
本発明は、前述した問題に対処するためになされたもので、その目的は、運転者の体格や姿勢に応じて、ステアリングポールの位置を任意の方向に調節できる小型滑走艇のステアリング装置を提供することである。
【０００５】
前述した目的を達成するため、本発明に係る小型滑走艇のステアリング装置の構成上の特徴は、運転者の体格や姿勢に応じて、ステアリングポールの位置を変更できる小型滑走艇のステアリング装置であって、ステアリングポールの前端部の両側部に設けられた係合部と、船体の上部における前部側部分に前後方向に沿って設けられ、係合部が前後方向に移動可能な状態で係合できる被係合部とを備えたことにある。
【０００６】
この小型滑走艇のステアリング装置では、ステアリングポールの係合部が、船体に設けられた被係合部に係合した状態で前後方向に移動可能になっているため、運転者は自分の体格や運転するときの姿勢に応じてステアリングポールの位置を最適な位置や好みの位置に変更することができる。これによって、小型滑走艇の運転操作がし易くなったり、好みに応じた操船ができるようになったりする。この場合の係合部と被係合部とは、種々の構成からなる機構を用いることができ、係合部と被係合部とを介してステアリングポールが、船体に対して前後方向に移動可能になる構造であればよい。
【０００７】
また、本発明に係る小型滑走艇のステアリング装置の他の構成上の特徴は、係合部をステアリングポールの前端部の両側部から略水平方向に延びる支持軸で構成し、被係合部を支持軸がスライド移動可能な状態で係合できる支持軸用スライド溝で構成したことにある。これによると、ステアリングポールが支持軸を中心として回転可能になるため、支持軸を支持軸用スライド溝の後端部に位置させた場合には、ステアリングポールの操作グリップ側を上下移動させながらスポーティーな操船をすることができる。この場合の支持軸は、ステアリングポールの前端部の両側部からそれぞれ突出する一対の軸部で構成してもよいし、ステアリングポールの前端部を貫通して両側部から突出する１個の軸部で構成してもよい。
【０００８】
また、本発明に係る小型滑走艇のステアリング装置のさらに他の構成上の特徴は、ステアリングポールの両側部における支持軸よりも後方部分から略水平に延びるガイド軸と、支持軸用スライド溝の上方に、支持軸用スライド溝よりも所定距離だけ後部側に位置をずらして設けられ、ガイド軸がスライド移動可能な状態で係合できるガイド軸用スライド溝とを備えたことにある。
【０００９】
これによると、支持軸は支持軸用スライド溝に沿って前後に移動でき、ガイド軸はガイド軸用スライド溝に沿って前後に移動できるため、ステアリングポールは、支持軸とガイド軸との双方によって支持された状態で前後に移動する。このため、ステアリングポールは、傾倒することなく所定の姿勢を保った状態で前後移動する。また、この場合、支持軸用スライド溝とガイド軸用スライド溝との位置関係に応じてステアリングポールの傾斜角度を調節することができる。
【００１０】
例えば、支持軸用スライド溝とガイド軸用スライド溝とを平行に配置すると、ステアリングポールは同じ傾斜角度のまま前後に移動する。また、支持軸用スライド溝とガイド軸用スライド溝との間隔が後部側に行くほど大きくなるように配置すると、ステアリングポールは後部側に移動するほど操舵ハンドル側が高くなる。さらに、支持軸用スライド溝とガイド軸用スライド溝との間隔を各部分によって変化させることにより、ステアリングポールの傾斜角度を位置に応じて変更させることができる。
【００１１】
また、本発明に係る小型滑走艇のステアリング装置のさらに他の構成上の特徴は、ガイド軸用スライド溝の後部を、支持軸用スライド溝の後端部を中心として後方上下方向に円弧を描いた形状の円弧状溝部で構成し、ステアリングポールを最後部に位置させたときに、ステアリングポールが支持軸用スライド溝の後端部を中心として上下方向に回転可能になるようにしたことにある。また、この場合、ガイド軸が円弧状溝部に位置したときに、ガイド軸を円弧状溝部の上部側に付勢する付勢手段を設けることができる。
【００１２】
これによると、ステアリングポールは、支持軸用スライド溝とガイド軸用スライド溝とに沿って前後に移動でき、ステアリングポールが最後部に位置したときには、ステアリングポールは支持軸用スライド溝の後端部（支持軸）を中心として上下方向に回転可能になる。したがって、ステアリングポールの操舵ハンドル側部分を上下移動させながら立ち乗り航走を行うスポーティーな操船が可能になる。
【００１３】
また、付勢手段を用いてガイド軸を上方に付勢することにより、ステアリングポールがその重量によって下降しようとする力を相殺することができる。これによって、運転者の手にかかる荷重が軽減されて、運転者は僅かな力でステアリングポールを上下移動させることができ運転操作が容易になる。この付勢手段の付勢力は、ステアリングポールが自重で下降しようとする重力と略釣り合う大きさに設定して、運転者が操作グリップから手を離した際に、ステアリングポールがその位置に静止するか、または、ゆっくりと下降するようにすることが好ましい。この場合の付勢手段としては、例えば、スプリングとレバーとを組み合わせた機構を用いることができる。
【００１４】
また、本発明に係る小型滑走艇のステアリング装置のさらに他の構成上の特徴は、支持軸用スライド溝の前端部の上部側の縁部に、支持軸が係合できる支持軸用係合凹部を設け、ステアリングポールを最前部に位置させて支持軸を支持軸用係合凹部に係合させたときに、ステアリングポールが固定された状態を維持するようにしたことにある。
【００１５】
これによると、ステアリングポールの後部側部分にはステアリングポールの重量によって下方に向う力が働くため、ステアリングポールの前端部はガイド軸を支点として上方に押し上げられるようになり、支持軸はより強固に支持軸用係合凹部に係合する。このため、運転者はステアリングポールを最前部に固定した状態で操作することができ、この場合、運転者がシートに座った状態での操船に適したものとなる。
【００１６】
また、このような操船の場合には、通常、運転者は、操舵ハンドルの操作グリップを上方から押さえるようにして握るため、支持軸はより強固に支持軸用係合凹部に係合して、ステアリングポールは固定された状態を確実に維持する。そして、支持軸と支持軸用係合凹部との係合を解除して、ステアリングポールを後方に移動させる場合には、ステアリングポールの操舵ハンドル側を持ち上げる。これによって、ステアリングポールは、ガイド軸を中心として回転し、ステアリングポールの前端部は下降して支持軸と支持軸用係合凹部との係合は解除される。
【００１７】
また、本発明に係る小型滑走艇のステアリング装置のさらに他の構成上の特徴は、ガイド軸用スライド溝の下部側の縁部における所定部分に、ガイド軸が係合できるガイド軸用係合凹部を設け、ガイド軸をガイド軸用係合凹部に係合させたときに、ステアリングポールが固定された状態を維持するようにしたことにある。
【００１８】
これによると、ステアリングポールを任意の位置に固定できるようになる。例えば、ガイド軸用係合凹部をガイド軸用スライド溝の後端部に設けた場合には、運転者はステアリングポールを最後部に固定した状態で操作することができ、この場合、運転者が船体後部のステップ台に立った状態での操船に適したものとなる。
【００１９】
また、ガイド軸用スライド溝の後部を円弧状溝部で構成し、円弧状溝部の上端部にガイド軸用係合凹部を設けた場合には、ガイド軸がガイド軸用係合凹部に係合した状態から、ステアリングポールを上方に持ち上げて後方に引っ張ることにより、前記係合が解除されてステアリングポールの後部側部分は円弧状溝部に沿って上下移動可能になる。また、この場合、ガイド軸用係合凹部は任意の複数の場所に設けることもできる。さらに、支持軸用スライド溝の上部側の縁部における所定部分にも支持軸用係合凹部を設け、支持軸とガイド軸の双方を固定することもできる。これによると、ステアリングポールをさらに確実に任意の位置に固定することができる。
【００２０】
また、本発明に係る小型滑走艇のステアリング装置のさらに他の構成上の特徴は、係合部を略水平方向に延びる係合軸部または係合軸穴で構成し、被係合部を、係合軸部または係合軸穴に軸回り方向に回転可能な状態で係合する被係合軸穴または被係合軸部を備えたブラケットとブラケットを前後方向に移動可能な状態で支持するレール部とで構成したことにある。
【００２１】
この小型滑走艇のステアリング装置では、ステアリングポールをレール部に沿って移動可能なブラケットに回転可能な状態で取り付け、ステアリングポールをブラケットとともにレール部に沿って移動可能にしている。これによっても、ステアリングポールを前後に移動可能にすることができるとともに、係合部を中心に上下方向に回転可能にすることができる。
【００２２】
また、本発明に係る小型滑走艇のステアリング装置のさらに他の構成上の特徴は、ステアリングポールとブラケットとの間に伸縮可能な傾斜調節部を設け、傾斜調節部の長さを調節することによりステアリングポールの傾斜角度を任意の角度に変更可能にしたことにある。これによると、ステアリングポールを前後方向に位置調節するだけでなく、傾斜角度も任意に調節することができる。この場合の傾斜調節部としては、ガスダンパーやねじの調節により伸縮する機械的な機構等を用いることができる。また、この傾斜調節部の長さを変更するための操作部は、ステアリングポールの操舵ハンドルの近傍に配置して運転者が容易に操作できるようにすることが好ましい。
【００２３】
また、本発明に係る小型滑走艇のステアリング装置のさらに他の構成上の特徴は、船体の上部における前部側部分に前後方向に沿ったケーブル用長穴を設けるとともに、ケーブル用長穴の長手方向に沿って切れ目が設けられた弾性シール部をケーブル用長穴の周縁部に設けてケーブル用長穴をシールし、ステアリングポールに設置された各種の操作子と、船体側に設置された各装置とを接続するケーブルをケーブル用長穴に通したことにある。
【００２４】
本発明のようなステアリングポールを備えた小型滑走艇においては、ステアリングポールの操作グリップ近傍にスロットルレバーや各種の操作子が設けられており、これらの操作子と船体内に設置された制御装置等の各装置との間が電線等のケーブルで接続されている。このようなケーブルもステアリングポールを前後方向に移動させた際には、ステアリングポールに追従して移動するため、ケーブルに無理な力が加わって破損したりすることを防止するための機構が必要になる。そのため、本発明においては、ケーブル用長穴を設けて、このケーブル用長穴内にケーブルを移動可能な状態で通している。
【００２５】
これによって、ケーブルにおけるケーブル用長穴に対応する部分は、ステアリングポールとともに前後移動するようになり、無理な力で引っ張られるようなことが防止される。また、ケーブル用長穴から水が船体内に浸入することを防止するために、ケーブル用長穴の周縁部にはケーブル用長穴の長手方向に沿って切れ目が設けられた弾性シール部が設けられている。これによって、ケーブルは切れ目に沿って移動可能になりケーブル用長穴におけるケーブルが位置する部分以外は、弾性シール部によってシールされ水の浸入が防止される。
【００２６】
また、本発明に係る小型滑走艇のステアリング装置のさらに他の構成上の特徴は、船体の上部における前部側部分に前後方向に沿ったケーブル用長穴を設けて、ステアリングポールに設置された各種の操作子と、船体側に設置された各装置とを接続するケーブルをケーブル用長穴に通し、ケーブル用長穴の周縁部における下部側に、ケーブルにおけるステアリングポールの前後移動に追従して移動する部分を移動可能にした状態のままで被覆する袋状部材を設けたことにある。これによっても、船体内に水が浸入することを防止できる。また、弾性シール部と袋状部材との双方を用いることにより、さらに確実に、船体内に水が浸入することを防止できる。
【発明を実施するための最良の形態】
【００２７】
（第１実施形態）
以下、本発明の第１実施形態を図面を用いて説明する。図１および図２は、同実施形態に係るステアリング装置２０を備えた小型滑走艇１０を示している。この小型滑走艇１０では、船体１１がデッキ１１ａとハル１１ｂで構成されており、デッキ１１ａとハル１１ｂとの周縁部が水密的に接合されて船体１１の周囲にガンネル部１１ｃが形成されている。そして、船体１１における上部の前後方向における略中央に操作グリップ２１ａを備えた操舵ハンドル２１が設けられ、操舵ハンドル２１の後方にシート１２が設けられている。
【００２８】
操舵ハンドル２１は後述するステアリング装置２０に含まれ、デッキ１１ａの前部側に、前後方向に移動可能であるとともに、先端部を中心として上下方向に回転可能な状態で取り付けられた接続ポール２２を介して船体１１に連結されている。また、操舵ハンドル２１は、接続ポール２２の後端部に、接続ポール２２の後端部を中心として左右方向に回転可能な状態で連結されている。この操舵ハンドル２１と接続ポール２２とでステアリングポール２３が構成されている。
【００２９】
また、シート１２は、船体１１の前後方向における中央上部に形成されたハッチカバー１３内から進退可能になっており、運転者が立った状態で小型滑走艇１０を運転する際には、ハッチカバー１３内に設けられたレール１４上に収納して、図３および図４に示した状態にする。また、運転者が座った状態で小型滑走艇１０を運転する際には、図１および図２のようにシート１２をハッチカバー１３内から引き出して、支持棒１２ａに支持させる。また、ハッチカバー１３は、後端下部に設けられた支軸（図示せず）を中心に回転可能になっており、ステアリングポール２３を上方に上げた状態で、ハッチカバー１３を回転させることにより、デッキ１１ａの上面を開けることができる。これによって、船体１１内の点検や修理等が行える。
【００３０】
船体１１の後部には、運転者が立つための凹部からなるステップ台１５が設けられ、ステップ台１５の左右両側には、側壁部１６ａ，１６ｂが形成されている。また、側壁部１６ａ，１６ｂの外側における下部側には、取付用凹部１７（側壁部１６ｂの取付用凹部は図示せず。）が形成され、取付用凹部１７に補助船体１８ａ，１８ｂがそれぞれ取り付けられている。補助船体１８ａ，１８ｂは回転駆動装置等からなる昇降機構１９を介して上下方向に位置調節可能な状態で設置されており、下方に位置したときには、滑走面の一部を構成してチャイン幅を大きくする。これによって、小型滑走艇１０の安定性が向上する。また、補助船体１８ａ，１８ｂが、上方に位置したときには、チャイン幅は小さくなる。これによって、小型滑走艇１０は、旋回時のバンク角度が大きくなりスポーティーな走行が可能になる。
【００３１】
また、デッキ１１ａの上面には、図５および図６に示したように、接続ポール２２の前端側部分を進退可能な状態にして収容するとともに支持する収容支持部２４が設けられており、この収容支持部２４およびステアリングポール２３等で本発明に係るステアリング装置２０が構成されている。収容支持部２４は、後端部が開口した箱状の収容部で構成され、上面部はデッキ１１ａの表面部２４ａで構成され、底面部はデッキ１１ａの基部２４ｂで構成されている。そして、両側部が板状のブラケット２５ａ，２５ｂで構成され、このブラケット２５ａ，２５ｂに、支持軸用スライド溝２６と、ガイド軸用スライド溝２７（ブラケット２５ｂの支持用スライド溝とガイド用スライド溝は図示せず。）とがそれぞれ形成されている。
【００３２】
支持軸用スライド溝２６は、デッキ１１ａの基部２４ｂの傾斜に沿って前端部から後端部にかけてやや上り傾斜になった長穴で構成され、後部側部分の傾斜角度が前部側部分の傾斜角度よりもやや大きくなるようにして形成されている。そして、支持軸用スライド溝２６の前端部の上部側の縁部には、支持軸用係合凹部２６ａが形成されている。この支持軸用係合凹部２６ａは、支持軸用スライド溝２６と同じ幅で上方に延びており、上端部を側面側から見た形状が略半円状になるように形成されている。
【００３３】
ガイド軸用スライド溝２７は、ブラケット２５ａ，２５ｂにおける支持軸用スライド溝２６の上方後部に形成された長穴で構成され、支持軸用スライド溝２６の略中央部の上方から上り傾斜になって後方に延び、後部が円弧状溝部２８で構成されている。ガイド軸用スライド溝２７の前部側部分の傾斜角度は、支持軸用スライド溝２６の後部側部分の傾斜角度よりもやや大きくなるように設定されている。そして、ガイド軸用スライド溝２７の前部側部分の後部は、上方に向かって湾曲するように曲がったのちに円弧状溝部２８に連通している。
【００３４】
円弧状溝部２８は、支持軸用スライド溝２６の後端部２６ｂを中心とした円弧状に形成されており、その下端部２８ａの高さは、支持軸用スライド溝２６の後端部２６ｂの高さと略等しい高さに設定されている。そして、ガイド軸用スライド溝２７の前部側部分の後端部と円弧状溝部２８の上端部とが交わる部分の下部側の縁部には、ガイド軸用係合凹部２８ｂが形成されている。このガイド軸用係合凹部２８ｂは、側面側から見た形状が略半円状になるように形成されている。
【００３５】
また、ブラケット２５ａ，２５ｂの外側面には、それぞれ本発明に係る付勢手段を構成するレバー３１とスプリング３２とが取り付けられている。レバー３１は、長辺部３１ａと短辺部３１ｂとを備えた略鉤型形状に形成され、基端側部分が回転支軸３３によって回転可能な状態で支持されている。そして、スプリング３２は、短辺部３１ｂの先端側部分と、ブラケット２５ａ，２５ｂの外側面上部における略中央部分との間に掛け渡されて、レバー３１の長辺部３１ａを上方に付勢している。長辺部３１ａは、円弧状溝部２８の後部まで延びており、スプリング３２が最小長さまで収縮したときに、その後端部（上端部）が、ガイド軸用係合凹部２８ｂの位置に達するように構成されている。
【００３６】
また、接続ポール２２の前端部には両側に貫通する穴部が形成され、その穴部に支持軸３４が固定されている。支持軸３４の両端部は、接続ポール２２の側面から突出して、支持軸用スライド溝２６内に延びている。また、接続ポール２２の下部における支持軸３４よりも後部側部分には、ガイド軸３５が固定されており、このガイド軸３５の両端部は、ガイド軸用スライド溝２７内に延びている。このガイド軸３５は、支持軸３４が支持軸用スライド溝２６の前端部に位置したときに、ガイド軸用スライド溝２７の前端部２７ａに位置し、支持軸３４が支持軸用スライド溝２６の後端部２６ｂに位置したときに、円弧状溝部２８に位置するように取り付けられている。
【００３７】
また、接続ポール２２の内部には、操舵ハンドル２１に設けられたスロットル操作子や操舵ハンドル２１を船体１１内に設置された制御装置（図示せず）等に接続するためのケーブル３６が通っている。このケーブル３６は、図７および図８に示したように、デッキ１１ａの基部２４ｂに形成されたケーブル用長穴３７を通過して接続ポール２２側から船体１１内に延びている。ケーブル用長穴３７は、基部２４ｂにおけるブラケット２５ａ，２５ｂ間の中央部にブラケット２５ａ，２５ｂの長手方向に沿って形成されている。また、ケーブル用長穴３７の周縁部には、ゴム製の弾性シール部３８が取り付けられ、ケーブル用長穴３７の周縁部下部には袋状部材３９が取り付けられている。
【００３８】
弾性シール部３８は、ケーブル用長穴３７の周縁部を上下から挟んだ状態でケーブル用長穴３７の周縁部に沿って取り付けられた固定部３８ａと、固定部３８ａの上面から盛り上がるように湾曲して形成されたシール部３８ｂとで構成されている。そして、シール部３８ｂの頂部にはシール部３８ｂの長手方向に沿った切れ目３８ｃが形成され、この切れ目３８ｃにケーブル３６が移動可能な状態で通っている。
【００３９】
また、袋状部材３９は、上端開口縁部がケーブル用長穴３７の周縁部下部側部分に水密的に固定され下端側部分が徐々に幅狭になった袋状体で構成されている。そして、袋状部材３９の下端部は、ケーブル３６の所定部分に水密的に固定されている。また、ケーブル３６における袋状部材３９内に位置する部分の長さは、ステアリングポール２３の前後移動に追従してケーブル３６が移動できる長さに設定されている。このため、ステアリングポール２３が前後に移動しても、ケーブル３６における接続ポール２２内に位置する部分および袋状部材３９よりも下方に位置する部分はそれぞれ対応する接続ポール２２または船体１１に対して静止状態を維持する。
【００４０】
また、船体１１内における底部中央には、図１および図２に示したように、エンジン４１が設けられ、船体１１内における前部側部分には、外部の空気を船体１１内に導くための空気ダクト４２が設けられている。この空気ダクト４２は、船体１１の上部から船体１１の底部まで上下に延びるように形成され、デッキ１１ａに設けた防水構造（図示せず）を介して船外の空気を上端部から吸い込み、下端部から船体１１内の底部側に導く構成をとっている。そして、船体１１内の前部側に燃料を収容するための燃料タンク４３が設置されている。
【００４１】
また、船体１１内におけるエンジン４１と燃料タンク４３との間には、吸気ボックス４４が設置されている。この吸気ボックス４４は、空気ダクト４２を介して船体１１内に取り込んだ空気をエンジン４１に供給する。また、エンジン４１には、燃料タンク４３から燃料が供給される。燃料タンク４３から供給される燃料は、燃料噴射装置（図示せず）によって霧状にされてエンジン４１の気筒内に噴射される。この際、燃料は吸気ボックス４４から供給される空気と混合され混合気となってエンジン４１内に送られ、エンジン４１が備える点火装置の点火によって混合気は爆発する。
【００４２】
また、エンジン４１の後部からはクランク軸（図示せず）が後方に向って延びている。このクランク軸は、混合気の爆発によるピストン（図示せず）の上下移動を回転運動に変える。そして、このクランク軸に、インペラー軸（図示せず）が連結され、このインペラー軸が船体１１の船尾に設けられたジェット推進機４５に連結されている。インペラー軸は、ジェット推進機４５の内部に取り付けられたインペラー（図示せず）に連結され、エンジン４１の駆動によるクランク軸の回転力をインペラーに伝達してインペラーを回転させる。
【００４３】
ジェット推進機４５は、船体１１の底部に開口する水導入口４５ａと船尾に開口する噴射ノズル（図示せず）とを備えており、水導入口４５ａから導入される水をインペラーの回転により噴射ノズルから噴射させることにより船体１１に推進力を生じさせる。このジェット推進機４５は、ケーシング（図示せず）によって、船体１１の本体側と隔離された状態で船体１１の船尾における底部に取り付けられており、インペラー軸は、ケーシングを貫通することによって、エンジン４１側からジェット推進機４５に延びている。そして、噴射ノズルの後部に操向ノズル（図示せず）が取り付けられている。この操向ノズルは、ケーブル３６および操作ワイヤを介して操舵ハンドル２１に連結され、操舵ハンドル２１の操作に応じて左右に揺動する。
【００４４】
また、エンジン４１には、排気管４６ａ，４６ｂおよびウォーターロック４６ｃからなる排気装置が接続されている。排気管４６ａは、エンジン４１から排出される燃焼ガスをウォーターロック４６ｃに送る。ウォーターロック４６ｃは、下部が幅広で上部が幅狭のタンクで構成されており、側面下部側に排気管４６ａが接続され、上面に排気管４６ｂが接続されている。排気管４６ｂは、ウォーターロック４６ｃの上面から一旦上方に延びたのちに後部下方に延びている。そして、排気管４６ｂの下流端部は、ジェット推進機４５を船体１１の本体側と隔離するためのケーシングに開口して、船体１１の後端部から外部に通じている。
【００４５】
また、この小型滑走艇１０は、前述した各装置の外に、ＣＰＵ、ＲＯＭ、ＲＡＭおよびタイマ等を含む電気制御装置や各種の電気機器を収容した電装ボックスおよび各種のセンサやスイッチなど小型滑走艇１０を安全走行させるために必要な各種の装置を備えている。
【００４６】
つぎに、以上のように構成された小型滑走艇１０を走行させる場合の操作について説明する。運転者が、シート１２に座った状態で小型滑走艇１０を走行させる場合には、まず、シート１２をハッチカバー１３内から引き出して、支持棒１２ａに支持させる。また、ステアリングポール２３を最前部に位置させた状態で操舵ハンドル２１側を下方に押さえる。これによって、図９に示したように、接続ポール２２の先端の支持軸３４が支持軸用スライド溝２６の支持軸用係合凹部２６ａに係合して、ステアリングポール２３は固定された状態になる。この際、ガイド軸３５は、ガイド軸用スライド溝２７の前端部２７ａに位置する。
【００４７】
つぎに、操作グリップ２１ａを手で持って小型滑走艇１０に乗り込みシート１２に座る。そして、スタートスイッチ（図示せず）をオンに操作する。これによって、小型滑走艇１０は走行可能な状態になり、運転者が操舵ハンドル２１を操作するとともに、操作グリップ２１ａに設けられたスロットル操作子を操作することにより小型滑走艇１０は各操作に応じた所定の方向に所定の速度で走行する。この際、昇降機構１９を操作して、補助船体１８ａ，１８ｂを上下移動させることにより、運転者の好みに応じた操船を行うことができる。
【００４８】
つぎに、運転者が、ステップ台１５上に立った状態で小型滑走艇１０を走行させる場合には、支持棒１２ａを収縮させながらシート１２をハッチカバー１３内に押し込んで、レール１４上に収容する。また、操舵ハンドル２１を上方に持ち上げて、支持軸３４と支持軸用係合凹部２６ａとの係合を解除するとともに、ステアリングポール２３を後方に引っ張る。これによって、操舵ハンドル２１は、図５に一点鎖線ａで示した軌道に沿って移動し、ステアリングポール２３は、図１０に示した状態になる。
【００４９】
すなわち、この状態では、支持軸３４は、支持軸用スライド溝２６の後端部２６ｂに位置し、ガイド軸３５はガイド軸用係合凹部２８ｂに係合した状態になる。このため、ステップ台１５上に立った運転者が操舵ハンドル２１を下方に押さえるようにして握ると、ステアリングポール２３は、図１０に示した状態に維持される。これによって、運転者が立った状態での操船がし易くなる。
【００５０】
また、運転者が、ステップ台１５上に立った状態でステアリングポール２３を上下移動させながら小型滑走艇１０を急旋回させる等、スポーティーな走行をさせる場合には、操舵ハンドル２１を上方に持ち上げて、ステアリングポール２３を後方に引っ張る。これによって、ガイド軸３５とガイド軸用係合凹部２８ｂとの係合が解除され、ガイド軸３５は、円弧状溝部２８内を移動可能な状態になる。このため、操舵ハンドル２１は、図５に一点鎖線ｂで示した軌道に沿って移動でき、ガイド軸３５が円弧状溝部２８の下端部２８ａに位置したときに、ステアリングポール２３は、図１１に示した状態になる。
【００５１】
このガイド軸３５が円弧状溝部２８内に位置した状態では、ガイド軸３５は、レバー３１とスプリング３２とによって上方に付勢されている。このため、運転者は、操舵ハンドル２１を軽く上下に操作するだけで、ステアリングポール２３を、図１０および図１１に示した範囲（図５の一点鎖線ｂで示した軌道の範囲）で移動させることができる。これによって、運転者は姿勢を変化させながらスポーティーな操船を行うことができる。
【００５２】
このように、本実施形態に係る小型滑走艇１０では、運転者は自分の体格や姿勢に応じてステアリングポール２３の位置を変更することができるため、小型滑走艇１０の運転操作をし易くしたり、好みに応じた操船ができるようにしたりすることができる。また、ステアリングポール２３を最前部に位置させて、支持軸３４を支持軸用係合凹部２６ａに係合させたときには、ステアリングポール２３を固定できるため、運転者はシート１２に座った状態で安定した操船ができる。そして、ステアリングポール２３を最後部に位置させたときには、ステアリングポール２３は支持軸３４を中心として回転可能になるため、操舵ハンドル２１を上下移動させながらスポーティーな操船をすることができる。
【００５３】
また、本実施形態に係る小型滑走艇１０のステアリング装置２０では、レバー３１とスプリング３２とからなる付勢手段を設けて、ガイド軸３５が円弧状溝部２８に位置したときに、ステアリングポール２３を上方に付勢するようにしている。このため、運転者が操舵ハンドル２１を操作するための力が軽減されて、運転者は僅かな力で操舵ハンドル２１を上下移動させることができ運転操作が容易になる。また、円弧状溝部２８の上端部に、ガイド軸３５が係合できるガイド軸用係合凹部２８ｂを設けている。このため、ステアリングポール２３を、図１０の状態で固定することができ、運転者はステップ台１５に立った状態での操船を容易にすることができる。
【００５４】
また、前述した実施形態では、デッキ１１ａの基部２４ｂにケーブル３６を通すためのケーブル用長穴３７を設けているため、ケーブル３６は、ステアリングポール２３とともに移動できるようになり、無理な力で引っ張られて破損するといったことが防止される。また、ケーブル用長穴３７の周縁部に切れ目３８ｃを備えた弾性シール部３８が設けられているため、船体１１内への水の浸入が防止される。さらに、ケーブル用長穴３７の下部側に、袋状部材３９を設けて、この中にケーブル３６を通しているため、船体１１内への水の浸入をより確実に防止できる。
【００５５】
（第２実施形態）
図１２ないし図１４は、本発明の第２実施形態に係るステアリング装置５０を示している。このステアリング装置５０は、レール部５１と、レール部５１に移動可能に取り付けられたブラケット５２と、ブラケット５２に回転可能に取り付けられたステアリングポール５３とを備えている。レール部５１は、デッキ１１ａの基部２４ｂ上に、左右に所定間隔を保って配置された一対のレール５１ａ，５１ｂからなっており、デッキ１１ａの前後方向に延びている。そして、レール５１ａ，５１ｂの対向面にはそれぞれ係合溝５４ａ，５４ｂがレール５１ａ，５１ｂの長手方向に沿って形成されている。また、各レール５１ａ，５１ｂには、両側面に貫通する係合穴５５が、前後方向に一定間隔を保って複数個設けられている。
【００５６】
ブラケット５２は、底面部５２ａと、ステアリングポール５３を両側から支持する略三角状の側面部５２ｂ，５２ｃとを備えており、底面部５２ａの両側に、レール５１ａ，５１ｂの係合溝５４ａ，５４ｂに移動可能な状態で係合する係合突起５６ａ，５６ｂが形成されている。また、係合突起５６ａ，５６ｂの略中央には穴部が形成され、その穴部に係止部材５７のピン５７ａが進退可能な状態で挿通している。このピン５７ａは、回転部５７ｂの回転により、進退可能になっており、進出したときに、穴部を通過してレール５１ａ，５１ｂの係合穴５５に係合する。これによって、ブラケット５２は、レール部５１の所定位置に固定される。また、回転部５７ｂは、プッシュプルケーブル５７ｃを介して、操舵ハンドル５３ａに取り付けられた操作レバー５８に接続されており、操作レバー５８の操作により回転してピン５７ａを進退させる。
【００５７】
また、側面部５２ｂ，５２ｃの上部側部分には支持穴が形成され、この支持穴に、接続ポール５３ｂの先端部に設けられた本発明の係合軸部としての支持軸５９が回転可能な状態で取り付けられている。支持軸５９には、トーションばね６１が取り付けられており、トーションばね６１の一端部は、ブラケット５２の底面部５２ａに固定され、他端は、接続ポール５３ｂの内部上面に当てられている。このトーションばね６１によって、ステアリングポール５３は上方に付勢されている。
【００５８】
また、側面部５２ｂ，５２ｃの後側下部と接続ポール５３ｂの略中央部における下部とにガスダンパーからなる傾斜調節部６２が掛け渡されている。この傾斜調節部６２は、ケーブル６２ａを介して、操作レバー５８に接続されており、操作レバー５８の操作に応じて伸縮する。これによって、ステアリングポール５３を任意の傾斜角度に調節することができる。なお、操作レバー５８は、係止部材５７を操作するための操作子と、傾斜調節部６２を操作するための操作子とを備えている。このステアリング装置５０およびステアリング装置５０が取り付けられる小型滑走艇におけるそれ以外の部分の構成については、前述した第１実施形態と同一である。
【００５９】
このように構成したため、ピン５７ａをレール５１ａ，５１ｂの任意の係合穴５５に係合させることにより、ステアリングポール５３を前後方向の任意の位置に位置決めすることができる。また、傾斜調節部６２の長さを調節することにより、ステアリングポール５３の傾斜角度を任意の角度に調節することができる。さらに、傾斜調節部６２の長さを固定せず、自由に伸縮できる状態にしておくことにより、ステアリングポール５３を上下に回転させながら操船することができる。その際、ステアリングポール５３は、トーションばね６１によって、上方に付勢されるため、運転者によるステアリングポール５３の操作が容易になる。このステアリング装置５０におけるそれ以外の作用効果については、前述した実施形態と同様である。
【００６０】
また、本発明に係る小型滑走艇のステアリング装置は、前述した実施形態に限定するものでなく、適宜変更して実施することが可能である。例えば、前述した第１実施形態における支持軸用スライド溝２６とガイド軸用スライド溝２７との形状は、前述した形状に限らず使用目的に応じて適宜変更することができる。また、第１実施形態では、支持軸用係合凹部２６ａおよびガイド軸用係合凹部２８ｂをそれぞれ１個づつ設けているが、これらを複数個設けることもできる。
【００６１】
すなわち、支持軸用スライド溝２６の上縁部に所定間隔を保って支持軸用係合凹部を設けるとともに、ガイド軸用スライド溝２７の下縁部に所定間隔を保ってガイド軸用係合凹部を設けることができる。これによると、ステアリングポール２３を前後方向の任意の位置に固定することができる。さらに、支持軸用係合凹部およびガイド軸用係合凹部をそれぞれ形成する位置を変更して１個づつ設けたり、形成する位置や個数を適宜変更して設けたりすることもできる。その他、前述した部分以外のステアリング装置２０，５０や小型滑走艇１０を構成する各部材の構造や材料についても本発明の技術的範囲内で、適宜変更実施が可能である。
【図面の簡単な説明】
【００６２】
【図１】本発明の第１実施形態に係るステアリング装置を備えた小型滑走艇を示す側面図である。
【図２】図１に示した小型滑走艇の平面図である。
【図３】図１に示した小型滑走艇のシートを船内に収容した状態を示す側面図である。
【図４】図３に示した小型滑走艇の平面図である。
【図５】ステアリング装置を示す側面図である。
【図６】ステアリングポールが前後方向に移動する状態を示す平面図である。
【図７】ステアリングポールが前後方向に移動する状態を示す側面図である
【図８】図７の８−８断面図である。
【図９】ステアリングポールが最前部に位置したときの状態を示す側面図である
【図１０】ステアリングポールが最後部上方に位置したときの状態を示す側面図である。
【図１１】ステアリングポールが最後部下方に位置したときの状態を示す側面図である。
【図１２】第２実施形態に係るステアリング装置を示す側面図である。
【図１３】図１２の１３−１３断面図である。
【図１４】図１２の底面図である。
【符号の説明】
【００６３】
１０…小型滑走艇、１１…船体、２０，５０…ステアリング装置、２１，５３ａ…操舵ハンドル、２２，５３ｂ…接続ポール、２３，５３…ステアリングポール、２５ａ，２５ｂ，５２…ブラケット、２６…支持軸用スライド溝、２６ａ…支持軸用係合凹部、２６ｂ…後端部、２７…ガイド軸用スライド溝、２８…円弧状溝部、２８ｂ…ガイド軸用係合凹部、３１…レバー、３２…スプリング、３３…回転支軸、３４，５９…支持軸、３５…ガイド軸、３６…ケーブル、３７…ケーブル用長穴、３８…弾性シール部、３８ｃ…切れ目、３９…袋状部材、５１…レール部、５１ａ，５１ｂ…レール、６２…傾斜調節部。
【図１】
2006044386.tif 000003
【図２】
2006044386.tif 000004
【図３】
2006044386.tif 000005
【図４】
2006044386.tif 000006
【図５】
2006044386.tif 000007
【図６】
2006044386.tif 000008
【図７】
2006044386.tif 000009
【図８】
2006044386.tif 000010
【図９】
2006044386.tif 000011
【図１０】
2006044386.tif 000012
【図１１】
2006044386.tif 000013
【図１２】
2006044386.tif 000014
【図１３】
2006044386.tif 000015
【図１４】
2006044386.tif 000016